(57)【要約】      （修正有）【課題】小型で持ち運びが容易で平地及び斜面地両方において歩行しやすく、且つ滑止め効果が高く、安価に製作できる靴の滑止め具を提供する。【解決手段】靴底裏面の内外方向に位置する靴底ベース部１１と、靴底の内側側面の前後方向に位置する靴底側片部１２とを有し、前記靴底ベース部は下方に向いて突設したベース爪１１ａを有し、靴底側片部は下方及び斜め内側方向に向いて突設した側爪１２ａを有することを特徴とする。【選択図】図１
0003160232.tif 000002
【実用新案登録請求の範囲】
【請求項１】
靴底裏面の内外方向に位置する靴底ベース部と、靴底の内側側面の前後方向に位置する靴底側片部とを有し、前記靴底ベース部は下方に向いて突設したベース爪を有し、靴底側片部は下方及び斜め内側方向に向いて突設した側爪を有することを特徴とする靴滑止め具。
【請求項２】
前記靴底ベース部と前記靴底側片部とは平面視略Ｔ字状であり、且つ一体的に製作してあることを特徴とする請求項１記載の靴滑止め具。
【請求項３】
前記ベース爪は複数有し、前記靴底ベース部から下方に向けて一体的に折り曲げ形成し、前記側爪は複数有し、前記靴底側片部から下方に向けて一体的に形成してあることを特徴とする請求項２記載の靴滑止め具。
【請求項４】
靴に着脱自在に取り付けることができるバンド具を備えたことを特徴とする請求項１〜３のいずれかに記載の靴滑止め具。
【考案の詳細な説明】
【技術分野】
【０００１】
本考案は、作業靴等に取り付ける滑止め具に関する。
【背景技術】
【０００２】
運動靴等の分野ではスパイク付の靴が公知である。
また、長靴等の作業靴に着脱自在に取り付ける滑止め具も提案されている。
例えば、特許文献１には略Ｊ字状の本体の下部斜め下方に突設した爪を設けた滑落防止足具を開示する。
しかし、同公報に開示する滑止め具は、爪の先端部が靴の底面よりもわずか上方に位置するように設けられているので、平地を歩行する際には爪が地面に強く当たらないので歩行しやすいものの本体がＪ字状になっているので重量が大きい問題がある。
また、爪を本体にボルト・ナット等で取り付ける構造であるため、爪部の強度を確保するのが大変で、制作費も高くなる問題があった。
【先行技術文献】
【特許文献】
【０００３】
【特許文献１】特開２００１−１３７０１０号公報
【考案の開示】
【考案が解決しようとする課題】
【０００４】
本考案は、小型で持ち運びが容易で平地及び斜面地両方において歩行しやすく、且つ滑止め効果が高く、安価に製作できる靴の滑止め具の提供を目的とする。
【課題を解決するための手段】
【０００５】
本考案に係る靴滑止め具は、靴底裏面の内外方向に位置する靴底ベース部と、靴底の内側側面の前後方向に位置する靴底側片部とを有し、前記靴底ベース部は下方に向いて突設したベース爪を有し、靴底側片部は下方及び斜め内側方向に向いて突設した側爪を有することを特徴とする。
本考案において、靴を履いた状態で両足の間を内側と表現し、靴を左右方向に横切る方向を内外方向とし、歩く方向を前後方向と表現する。
【０００６】
本考案に係る靴滑止め具にあっては、前記靴底ベース部と前記靴底側片部とは平面視略Ｔ字状であり、且つ一体的に製作してあるのが好ましく、さらには、前記ベース爪は複数有し、前記靴底ベース部から下方に向けて一体的に折り曲げ形成し、前記側爪は複数有し、前記靴底側片部から下方に向けて一体的に形成してあるのが好ましい。
このようにすると、金属板材を用いてプレス等にて一体的に製作できるのでコンパクトで安価である。
また、ハンド具を用いて作業靴等に着脱自在にすることができる。
【考案の効果】
【０００７】
本考案に係る靴滑止め具は、靴底の裏面の内外方向になる靴ベース部と靴底の内側側面の前後方向になる靴底側片部を有し、この靴ベース部と靴底側片部とから下方に向けて突設したベース爪と側爪を有するので平地から斜面地にかけて、あるいは逆に斜面地から平地にかけて歩きわたるのが容易である。
また、本体を１枚の金属板を打ち抜き及びプレス加工等にて一体的に製作することも可能であるためにコンパクトで軽いことから、バック等に入れて持ち運ぶのが容易である。
また、制作費も安価である。
【図面の簡単な説明】
【０００８】
【図１】（ａ）は、本考案に係る靴滑止め具を作業用の靴１に装着した状態を示し、（ｂ）は金具本体部を示す。
【図２】靴の裏側から靴滑止め具の装着状況を見た図を示す。
【図３】金具本体の斜視図を示す。
【図４】金具本体にバンド具を取り付けた状態を示す。
【考案を実施するための最良の形態】
【０００９】
図１〜４に示すように本考案に係る靴滑止め具１０は、金具本体１０ａと靴１に装着するためのバンド具２１，２２を有し、靴１の靴底の裏面であって内外方向に延びる靴底ベース部１１とこの靴底ベース部とから一体的に、且つ、靴底の内側側面に沿って前後方向に延びる靴底側片部１２を有する。
靴底ベース部１１は内外方向の帯状になっていて、その前後側部から下方に折り曲げて突設した複数のベース爪１１ａ，１１ｂ，１１ｃを有する。
本実施例では、靴底ベース部１１から前後方向の外側方向斜めに対向して突設した一対のベース爪が１１ａ，１１ｂ，１１ｃ三対設けた例になっている。
このように前後方向に対向して複数対のベース爪を靴底ベース部１１からそれぞれ外側に斜め下方に突設させたので、平地で安定して歩行できる。
作業用長靴は図２に示すように、踵１ａの部分が土踏まず１ｃの部分よりも段差部１ｂにて少し高くなっている。
従って、本実施例ではこの土踏まずの部分に合せて靴底ベース部１１を配置したので、ベース爪が段差のある踵に対して地面から少し浮いた土踏まずの部分に位置するので歩きやすくなっている。
【００１０】
靴底側片部１２は靴底の内側側部から靴底よりも下側に突設した複数の側爪１２ａを有する。
本実施例では、靴底側片部１２に側爪１２ａを４つ有し、靴底ベース部１１との連続的つなぎ部１２ｅとなる中央部から前方に延びた前端部１２ｇと後方に延びた後端部１２ｆを有する。
この靴底側片部１２は靴１の内側形状にフィットするように中央部１２ｅに対して前端部１２ｇ、後端部１２ｆが内側に少し湾曲した形状になっている。
側爪１２ａは斜面地において谷側の足に力が加わり、滑止めになるように下方であってやや内側斜め方向に突設した爪形状になっている。
これらの靴底ベース部１１，靴底側片部１２及びベース爪１１ａ，１１ｂ，１１ｃと側爪１２ａ，１２ｂ，１２ｃとは一枚の金属板から一体的にプレス成形等により製作されていて、ベース爪、側爪の強度が強くなるように先端部が鋭角になった略三角形となっている。
【００１１】
金具本体１０ａは内側及び外側に立設したバンド取付部１３，１４を有し、このバンド取付部にバンド取付孔１３ａ，１３ｂ及び１４ａ，１４ｂを設けた例になっている。
バンド取付孔１３ａ，１３ｂは足首廻りに第１バンド具２１を取り付け、バンド取付孔１４ａ，１４ｂには足の甲廻りに第２バンド具２２を取り付ける例になっている。
バンド具２１，２２は、バンド２１ａ，２２ａの一端に輪を形成し、長さ調整するための長さ調整具２１ｂ，２２ｂと、バンドの他端部に輪を形成し、締め付け固定する締め付け具２１ｄ，２２ｄを有する。
両方の輪はリング２１ｃ，２２ｃにて可動連結されている。
なお、バンド具は金具本体１０ａを靴１に着脱自在に装着できるものであれば、これらの構造に限定されない。
また、長さ調整具、締め付け具等の材質にも制限はないが、強度が高い点においては金属製が好ましい。
【符号の説明】
【００１２】
１        靴
１０      靴滑止め具
１１      靴底ベース部
１１ａ    ベース爪
１２      靴底側片部
１２ａ    側爪
【図１】
0003160232.tif 000003
【図２】
0003160232.tif 000004
【図３】
0003160232.tif 000005
【図４】
0003160232.tif 000006